(57)【要約】【課題】本発明は、遠距離、且つ、異なる方位に位置する人も、液晶パネルの表示内容をはっきり見ることができる液晶表示装置を提供することを目的とする。【解決手段】本発明の液晶表示装置は、液晶パネルと、接続機構と、支持機構とを有し、前記接続機構は軸接部と接続幹ユニットとを備え、前記軸接部はそれぞれ液晶パネル及び接続幹ユニットに接続されており、前記支持機構は、前記接続幹ユニットに接続する。【選択図】図３
2007128088.tif 000002
【特許請求の範囲】
【請求項１】
液晶パネルと、支持機構とを備える液晶表示装置であって、
前記液晶表示装置はさらに接続機構を備え、前記接続機構は軸接部と接続幹ユニットとを備え、前記軸接部はそれぞれ液晶パネル及び接続幹ユニットに接続されており、前記支持機構は、前記接続幹ユニットに接続することを特徴とする液晶表示装置。
【請求項２】
前記軸接部はそれぞれ液晶パネル及び接続幹ユニットに軸接することを特徴とする請求項１に記載の液晶表示装置。
【請求項３】
前記接続幹ユニットは第１接続幹と、第２接続幹とを備え、前記第１接続幹の両端は、それぞれ前記支持機構と前記第２接続幹の一端に軸接されており、前記第２接続幹の他端は、前記軸接部に軸接することを特徴とする請求項２に記載の液晶表示装置。
【請求項４】
前記軸接部は、スタンド部と、該スタンド部を巡って回動するロックキーとを備えることを特徴とする請求項３に記載の液晶表示装置。
【請求項５】
前記ロックキーは押えボタンを備え、前記第１接続幹は第１ロック孔を備え、前記第２接続幹は、前記第１ロック孔と対応する第２ロック孔を備え、前記押えボタンは前記第２ロック孔内部に収容されることを特徴とする請求項４に記載の液晶表示装置。
【請求項６】
前記液晶パネルは背面板を備え、前記背面板は、凸部と、該凸部の回りを囲む凹部とを備え、前記凸部の対向配置された両側壁にそれぞれ凹溝を設け、前記凹部に固定部を設け、前記軸接部は前記固定部に軸接することを特徴とする請求項１に記載の液晶表示装置。
【請求項７】
前記液晶パネルは、さらにスライディング・カバーを備え、前記スライディング・カバーは、前記凹溝によって前記凸部に接続することを特徴とする請求項６に記載の液晶表示装置。
【請求項８】
前記支持機構は支持モジュールと台座とを備え、前記支持モジュールと台座は分離可能に接続し、前記支持モジュールは前記第１接続幹に軸接することを特徴とする請求項１に記載の液晶表示装置。
【請求項９】
前記台座はねじによって前記支持モジュールに固定されることを特徴とする請求項８に記載の平面表示装置。
【請求項１０】
前記支持機構に電源線と信号線を収容するパンチを設け、前記台座に電源線と信号線を収容するコンタクトホールを設けることを特徴とする請求項８に記載の液晶表示装置。
【発明の詳細な説明】
【技術分野】
【０００１】
本発明は、液晶表示装置に関するものである。
【背景技術】
【０００２】
液晶表示装置は、軽量、薄型、低電力消耗の性能を持ち、現状のＣＲＴ表示装置の代替、或は、パーソナル・コンピュータ、ワードプロセッサ、テレビ表示用の各種表示装置として利用されて注目を浴びている。
【０００３】
図１と図２は、従来の液晶表示装置の構成を示す図である。液晶表示装置９は、台座９１と、支持モジュール９２と、液晶パネル９３とを備え、前記支持モジュール９２は、台座９１に回転自在なように設置されており、前記液晶パネル９３はヒンジ９４によって前記支持モジュール９２に固定される。
【０００４】
前記液晶表示装置９をデスクトップに放置する場合、前記支持モジュール９２は、前記台座９１に対して回転でき、且つ前記液晶パネル９３は、前記支持モジュール９２に対して回転でき、従って、前記液晶表示装置９は、多くの方位に回転できる。
【０００５】
しかし、前記液晶パネル９３が前記デスクトップに対して移動することができないので、遠距離にいる人は、液晶パネル９３の表示内容がはっきり見られない問題があった。
【発明の開示】
【発明が解決しようとする課題】
【０００６】
本発明の目的は、前記課題を解決し、遠距離、且つ、異なる方位にいる人も、液晶パネルの表示内容をはっきり見ることができる液晶表示装置を提供することである。
【課題を解決するための手段】
【０００７】
前記目的を達成するため、本発明に係る液晶表示装置は、液晶パネルと、接続機構と、支持機構とを有し、前記接続機構は軸接部と接続幹ユニットとを備え、前記軸接部はそれぞれ液晶パネル及び接続幹ユニットに接続されており、前記支持機構は、前記接続幹ユニットに接続する。
【発明の効果】
【０００８】
本発明の液晶表示装置の接続機構が前記支持機構に接続されることにより、前記液晶パネルは、前記支持機構に対していずれかの角度に回動することができ、液晶表示装置は、多くの方位に応じて回動することができ、従って、異なる方位にいる人も、液晶パネルの表示内容をはっきり見ることができ、さらに、前記接続幹ユニットを介して前記液晶パネルを支持機構から遠い位置まで押し進めることにより、前記液晶パネルは、前記支持平面に対して、広い空間範囲で移動でき、遠距離にいる人も、前記液晶パネルの表示内容をはっきり見ることができる。
【発明を実施するための最良の形態】
【０００９】
図３は、本発明の第１の実施形態の液晶表示装置の構成を示す図である。液晶表示装置３は、支持機構１０と、接続機構３０と、液晶パネル５０とを備える。前記支持機構１０が前記接続機構３０の一端に接続されて前記接続機構３０を固定させ、前記接続機構３０の他端が前記液晶パネル５０に接続されて前記液晶パネル５０を支持する。前記接続機構３０は順次に接続する第１接続幹３２と、第２接続幹３３と、軸接部３４とを備える。前記接続機構３０は、前記液晶パネル５０を支持機構１０からより遠い位置まで押し進めることができる。
【００１０】
図４は、図３に示す液晶表示装置の分解図である。前記支持機構１０は、円盤形状の台座１１と、支持モジュール１５とを備える。前記円盤形状の台座１１は、ねじ孔１３と、コンタクトホール１２と、前記円盤形状の台座１１の底部に設けられたベース１４とを備える。前記支持モジュール１５は、円錐台形状の基部１５０を備え、該基部１５０のトップにはロック孔１５２を設け、該基部１５０のアーチ形の表面にパンチ１５４を設ける。前記支持モジュール１５は、ねじ２７と前記円盤形状の台座１１のねじ孔１３との係合によって、円盤形状の台座１１に固定される。
【００１１】
前記第１接続幹３２の両端にそれぞれ第１軸接孔３２０及び第２軸接孔３２３を設け、且つ、前記第１軸接孔３２０を設けた前記第１接続幹３２の一端に第１ロック孔３２２を設ける。前記第１接続幹３２は、第１軸接孔３２０、第１接続軸２６及び前記支持モジュール１５のロック孔１５２によって、前記支持モジュール１５に軸接されており、従って、前記第１接続幹３２は、前記第１接続軸２６を中心としていずれかの角度に回動することができる。
【００１２】
前記第２接続幹３３の両端にそれぞれ第３軸接孔３３０及び第４軸接孔３３３を設け、且つ、第１接続幹３２の第１ロック孔３２２と対応する位置に第２ロック孔３３２を設ける。前記第２接続幹３３は、第３軸接孔３３０、第２接続軸２４及び前記第１接続幹３２の第２軸接孔３２３によって、前記第１接続幹３２に軸接されており、従って、前記第２接続幹３３は、前記第２接続軸２４を中心としていずれかの角度に回動することができる。
【００１３】
前記軸接部３４は固定軸２２によって第２接続幹３３に軸接されており、従って、前記第２接続幹３３は、前記固定軸２２を中心としていずれかの角度に回動することができる。
【００１４】
前記液晶パネル５０は、背面板５２と、スライディング・カバー５３とを備える。前記背面板５２は、凸部５２１と、該凸部５２１の回りを囲む凹部５２３とを備える。前記凸部５２１の対向配置された二つの側壁５２６にそれぞれ凹溝５２２を設ける。前記スライディング・カバー５３は前記凹溝５２２に沿って滑走できるように前記凸部５２１を覆う。前記凹部５２３に固定部５２４を設け、該固定部５２４は、第５軸接孔５２５を備える。前記液晶パネル５０は、第３接続軸２０によって、軸接部３４に軸接されており、従って、前記液晶パネル５０は前記第３接続軸２０を中心としていずれかの角度に回動することができる。
【００１５】
前記液晶表示装置３を使う場合、前記第１接続幹３２、第２接続幹３３を、それぞれ第１接続軸２６、第２接続軸２４及び固定軸２２を中心として回動させることにより、前記第１接続幹３２及び第２接続幹３３は、液晶パネル５０を支持モジュール１５から比較的遠い所まで押し出され、従って、遠距離にいる人は、液晶パネル５０の表示内容をはっきり見ることができる。且つ、前記第１接続幹３２及び第２接続幹３３は、液晶パネル５０を繰り戻すことができ（図５に示す）、この時、まず、前記第１接続幹３２及び第２接続幹３３を液晶パネル５０の凹部５２３に積み重ねるように置いてから、前記第１接続幹３２及び第２接続幹３３を覆うように、前記スライディング・カバー５３を下方へ滑走させる。
【００１６】
前記第１接続幹３２及び第２接続幹３３を液晶パネル５０の凹部５２３に積み重ねるように置く場合、前記液晶表示装置３を更に固定するために、前記軸接部３４によって、前記第１接続幹３２及び第２接続幹３３をロックする。
【００１７】
図６は、軸接部３４の構成を示す図である。軸接部３４は、スタンド部３５と、押え輪３６と、ロックキー３７とを備える。前記スタンド部３５は、第６軸接孔３５０と、軸接フランジ３５１と、該軸接フランジ３５１の下側の第１柱体３５２と、該第１柱体３５２に接続されており、且つ、第１柱体３５２の下側に位置する第２柱体３５５と、前記軸接フランジ３５１、第１柱体３５２、第２柱体３５５を貫通する軸孔３５７と、を備える。前記第１柱体３５２の外径は、第２柱体３５５の外径より小さく、第１柱体３５２に輪溝３５４を設け、該輪溝３５４は二つの円孔３５８を備える。前記第２柱体３５５に前記第１柱体３５２と接続される貫通溝３５６を設ける。前記押え輪３６は、前記輪溝３５４の二つの円孔３５８を介して、前記輪溝３５４内部に収容される。前記ロックキー３７は、本体３７０と、該本体３７０内部の上側に対向配置された二つの凸塊３７１と、該本体３７０の外部の下側に設けられた押えボタン３７２とを備え、前記二つの凸塊３７１の幅は、前記貫通溝３５６と対応する。前記押え輪３６は、前記ロックキー３７の二つの凸塊３７１の間に位置されており、前記ロックキー３７は、前記第１柱体３５２及び第２柱体３５５を巡って回動することができる。
【００１８】
図４を同時に参照する。前記軸接部３４のロックキー３７、前記スタンド部３５の第１柱体３５２及び第２柱体３５５を、前記第２接続幹３３の第４軸接孔３３３の内部に挿入し、前記ロックキー３７の押えボタン３７２を前記第２接続幹３３の第２ロック孔３３２の内部に収容させ、前記固定軸２２が前記スタンド部３５の軸孔３５７を貫通することにより、第２接続幹３３を前記軸接部３４に軸接させ、前記第２接続幹３３は、前記固定軸２２を中心としていずれかの角度に回動するように、前記ロックキー３７を連動させる。前記軸接部３４は、前記スタンド部３５の第６軸接孔３５０、第３接続軸２０及び前記液晶パネル５０の固定部５２４の第５軸接孔５２５によって前記液晶パネル５０に軸接される。
【００１９】
前記第１接続幹３２及び第２接続幹３３を液晶パネル５０の凹部５２３に積み重ねるように置く場合、前記第１ロック孔３２２と第２ロック孔３３２も積み重ねるように置かれ、前記ロックキー３７の二つの凸塊３７１は、前記第２柱体３５５の貫通溝３５６の上側に位置されており、この時、第２ロック孔３３２内部に収容された押えボタン３７２を押すことにより、前記ロックキー３７の二つの凸塊３７１は押え輪３６を離れ、前記貫通溝３５６に沿って前記ロックキー３７の押えボタン３７２を前記第１接続幹３２の第１ロック孔３２２の内部に収容するように、下へ滑走し、、従って、第１接続幹３２と第２接続幹３３とを固定させる。
【００２０】
本発明の液晶表示装置３の第１接続幹３２及び第２接続幹３３を介して前記液晶パネル５０を遠い所に押し進めることにより、前記液晶パネル５０が支持平面に対して、広い空間範囲で移動でき、従って、遠距離にいる人も、前記液晶パネル５０の表示内容をはっきり見ることができる。さらに、前記液晶パネル５０は、前記支持機構１０に対していずれかの角度に回動することができ、従って、異なる方位にいる人も、前記液晶パネル５０の表示内容をはっきり見ることができる。前記第１接続幹３２及び第２接続幹３３は、液晶パネル５０を繰り戻すことができ、且つ、軸接部３４によって、前記第１接続幹３２及び第２接続幹３３を液晶パネル５０の凹部５２３に固定することにより、液晶表示装置３の占用する空間を減らすことができる。
【００２１】
前記液晶表示装置３は、支持平面に置いて使うことができる。前記支持機構１０の支持モジュール１５にパンチ１５４を設け、前記円盤形状の台座１１にコンタクトホール１２を設けるので、電源線（図に示していない）及び信号線（図に示していない）は、支持モジュール１５のパンチ１５４及び円盤形状の台座１１のコンタクトホール１２を貫通し、円盤形状の台座１１のベース１４と支持平面との間から伸ばすことができ、従って、前記電源線及び前記信号線の混乱が原因で環境の混乱をもたらす現象を改善することができる。前記支持平面に線孔６２を設ける場合、前記支持機構１０の支持モジュール１５及び円盤形状の台座１１を、それぞれ前記支持平面の線孔６２の両側に位置させて、且つ、ねじ２７によって、前記液晶表示装置３を支持平面の線孔６２に固定して使うことができる（図７を参照）。
【００２２】
しかし、前記液晶表示装置３は、以上説明した実施形態に制限されず、例えば、前記支持機構１０の支持モジュール１５及び円盤形状の台座１１を実際の需要に基いて他の大きさと形状にデザインすることができる。
【図面の簡単な説明】
【００２３】
【図１】従来の液晶表示装置の構成を示す図である。
【図２】図１に示す液晶表示装置の側面図である。
【図３】本発明の液晶表示装置の構成を示す図である。。
【図４】図３に示す液晶表示装置の分解図である。
【図５】図３に示す液晶表示装置を繰り戻した状態を示す図である。
【図６】図４に示す液晶表示装置の軸接部の構成を拡大して示す図である。
【図７】液晶表示装置を支持平面の線孔の両側で支持した状態を示す図である。
【符号の説明】
【００２４】
３  液晶表示装置
１０  支持機構
１１  台座
１２  コンタクトホール
１３  ねじの孔
１４  ベース
１５  支持モジュール
２０  第３接続軸
２２  固定軸
２４  第２接続軸
２６  第１接続軸
２７  ねじ
３０  接続機構
３２  第１接続幹
３３  第２接続幹
３４  軸接部
３５  スタンド部
３６  押え輪
３７  ロックキー
５０  液晶パネル
５２  背面板
５３  スライディング・カバー
６２  線孔
１５０  基部
１５２  ロック孔
１５４  パンチ
３２０  第１軸接孔
３２２  第１ロック孔
３２３  第２軸接孔
３３０  第３軸接孔
３３２  第２ロック孔
３３３  第４軸接孔
３５０  第６軸接孔
３５１  軸接フランジ
３５２  第１柱体
３５４  輪溝
３５５  第２柱体
３５６  貫通溝
３５７  軸孔
３５８  円孔
３７０  本体
３７１  凸塊
３７２  押えボタン
５２１  凸部
５２２  凹溝
５２３  凹部
５２４  固定部
５２５  第５軸接孔
５２６  側壁
【図１】
2007128088.tif 000003
【図２】
2007128088.tif 000004
【図３】
2007128088.tif 000005
【図４】
2007128088.tif 000006
【図５】
2007128088.tif 000007
【図６】
2007128088.tif 000008
【図７】
2007128088.tif 000009